(57)【要約】【課題】主に各種電子機器の遠隔操作に用いられるリモコン送信機に関し、簡易な構成で、確実な操作が可能なものを提供することを目的とする。【解決手段】静電タッチパネル２３が装着されたカバー２２を、端部の支点部２２Ａを支点として揺動可能に形成することによって、カバー２２中央部に加え端部を押圧した場合でも、カバー２２が同様に揺動し、この下方のスイッチ接点２６が垂直に押圧操作されるため、スイッチ接点２６の確実な電気的接離が行えると共に、静電タッチパネル２３下方に配置するスイッチ接点２６が一つですみ、簡易な構成で、安価なリモコン送信機を得ることができる。【選択図】図１
2011160388.tif 000002
【特許請求の範囲】
【請求項１】
ケース上面の開口部に装着されたカバーと、このカバーに装着された静電タッチパネルと、この静電タッチパネル下方に形成されたスイッチ接点と、上記静電タッチパネル及びスイッチ接点の操作に応じて、送信手段からリモコン信号を送信する制御手段からなり、上記カバーを端部または中間部を支点として揺動可能に形成したリモコン送信機。
【発明の詳細な説明】
【技術分野】
【０００１】
本発明は、主に各種電子機器の遠隔操作に用いられるリモコン送信機に関するものである。
【背景技術】
【０００２】
近年、テレビやディスクプレーヤ等の各種電子機器の高機能化が進むなか、これらを遠隔操作するリモコン送信機においても、安価で確実な操作を行えるものが求められている。
【０００３】
このような従来のリモコン送信機について、図６〜図８を用いて説明する。
【０００４】
なお、これらの図面は構成を判り易くするために、部分的に寸法を拡大して表している。
【０００５】
図７は従来のリモコン送信機の断面図、図８は同分解斜視図であり、同図において、１は絶縁樹脂製の上ケース、２は同じくカバーで、上ケース１上面の複数の開口部１Ａに、複数のカバー２が上下動可能に装着されている。
【０００６】
また、３は静電タッチパネルで、上面または上下面に複数の電極が所定の間隙を設けて直交方向に配列されると共に、複数の静電タッチパネル３がカバー２下面に各々装着されている。
【０００７】
そして、４はゴム等の操作体で、上面には上方へ略ドーム状に突出する複数の押圧部４Ａが設けられると共に、この押圧部４Ａ上面に静電タッチパネル３下面が当接している。
【０００８】
さらに、５は上下面に複数の配線パターン（図示せず）が形成された配線基板、６はプッシュスイッチ等のスイッチ接点で、複数のスイッチ接点６が配線基板５上面に実装されると共に、配線基板５上面を操作体４が覆い、スイッチ接点６が押圧部４Ａ内に収納されている。
【０００９】
そして、７は複数の配線パターン（図示せず）が形成されたフレキ基板、８はコネクタで、複数のフレキ基板７やコネクタ８を介して、静電タッチパネル３が配線基板５の配線パターンに接続されている。
【００１０】
また、配線基板５の上下面には、アンテナ等のリモコン信号を送信する送信手段９や、マイコン等の制御手段１０が形成されると共に、この制御手段１０に配線パターンを介して、静電タッチパネル３やスイッチ接点６、送信手段９が接続されている。
【００１１】
さらに、１１は絶縁樹脂製の下ケース、１２は同じく蓋体で、蓋体１２に覆われた下ケース１１下面には電池（図示せず）が収納されると共に、この下ケース１１が上ケース１下面を覆って、リモコン送信機１５が構成されている。
【００１２】
以上の構成において、図６の正面図に示すように、遠隔操作するテレビ等の電子機器４０の表示画面４１に複数のメニュー、例えば複数のキー４２が表示された状態で、リモコン送信機１５のカバー２上面左方の所定箇所に、例えば左手の指を触れると、この指に静電タッチパネル３の電荷の一部が導電し、操作した箇所の電極の容量が変化するため、これによって静電タッチパネル３のどの箇所に指が触れたのかを制御手段１０が検出する。
【００１３】
そして、この指の接触位置に応じたリモコン信号を、制御手段１０が送信手段９から機器へ電波として送信し、これを電子機器４０が受信すると、例えば、指の接触位置に対応した、表示画面４１に表示された「Ａ」のキー４２Ａがカーソル表示される。
【００１４】
また、このままの位置でカバー２上面を押圧操作すると、カバー２や静電タッチパネル３が下方へ移動し、押圧部４Ａが撓んでスイッチ接点６の電気的接離が行われ、これを制御手段１０が検出して、上記とは異なるリモコン信号が送信され、例えば表示画面４１下方の入力部４１Ａに「Ａ」が表示されて、文字の選択が確定する。
【００１５】
さらに、右手の指でカバー２上面右方の別の箇所に触れると、同じく制御手段１０が静電タッチパネル３の容量変化によってその接触位置を検出し、リモコン信号が送信手段９から送信されて、表示画面４１の「Ｂ」のキー４２Ｂがカーソル表示され、そのままカバー２上面を押圧操作すると、この下方のスイッチ接点６の電気的接離が行われリモコン信号が送信されて、入力部４１Ａに「Ａ」に並んで「Ｂ」の文字が表示される。
【００１６】
なお、この時、「Ｂ」ではなく「Ｎ」や「Ｈ」の文字を選びたい場合には、カバー２上面に触れたまま指を右方や上方へ移動すると、この接触箇所を制御手段１０が検出してリモコン信号が送信されて、表示画面４１の「Ｎ」や「Ｈ」のキーがカーソル表示され、この後、カバー２上面を押圧操作すると、これらの文字が入力部４１Ａに表示される。
【００１７】
つまり、リモコン送信機１５のカバー２上面に指を触れ、これを移動して接触操作することによって、表示画面４１に表示された文字等のメニューの選択を行うと共に、カバー２上面を押圧し、この下方のスイッチ接点６を押圧操作することによって、文字等のメニューの確定や入力等を、遠隔操作によって行うことができるように構成されている。
【００１８】
なお、上記のようにカバー２を押圧操作する際、図７に示すように、カバー２中央のスイッチ接点６真上の矢印Ａの箇所を押圧した場合には、スイッチ接点６が静電タッチパネル３下面に垂直に押されて、押圧操作が確実に行われるが、矢印Ｂのようにカバー２の端部を押圧した場合には、カバー２が傾いた状態でスイッチ接点６が斜めに押され、押圧操作が不安定なものとなってしまう。
【００１９】
したがって、実際には複数のカバー２毎に、中央下方に加え、カバー２端部下方の２〜４箇所にも各々スイッチ接点６を設け、これによってカバー２の端部が押圧された場合でも、カバー２が平行なままで上下動し、いずれかのスイッチ接点６は確実に押圧操作されるように構成されているものであった。
【００２０】
なお、この出願の発明に関連する先行技術文献情報としては、例えば、特許文献１が知られている。
【先行技術文献】
【特許文献】
【００２１】
【特許文献１】特開２００９−３３５９６号公報
【発明の概要】
【発明が解決しようとする課題】
【００２２】
しかしながら、上記従来のリモコン送信機においては、カバー２を押圧操作する際、カバー２端部が傾いて押圧され、スイッチ接点６の押圧操作が不安定なものになることを防ぐため、静電タッチパネル３下方に多くのスイッチ接点６を設ける必要があり、構成部品数が増え、高価なものになってしまうという課題があった。
【００２３】
本発明は、このような従来の課題を解決するものであり、簡易な構成で、確実な操作が可能なリモコン送信機を提供することを目的とする。
【課題を解決するための手段】
【００２４】
上記目的を達成するために本発明は、静電タッチパネルが装着されたカバーを、端部または中間部を支点として揺動可能に形成してリモコン送信機を構成したものであり、カバー中央部に加え端部を押圧した場合でも、カバーが同様に揺動し、この下方のスイッチ接点が垂直に押圧操作されるため、スイッチ接点の確実な電気的接離が行えると共に、静電タッチパネル下方に配置するスイッチ接点が一つか二つですみ、簡易な構成で、安価なリモコン送信機を得ることができるという作用を有するものである。
【発明の効果】
【００２５】
以上のように本発明によれば、簡易な構成で、確実な操作が可能なリモコン送信機を実現できるという有利な効果が得られる。
【図面の簡単な説明】
【００２６】
【図１】本発明の第１の実施の形態によるリモコン送信機の断面図
【図２】同分解斜視図
【図３】同部分平面図
【図４】本発明の第２の実施の形態によるリモコン送信機の断面図
【図５】同分解斜視図
【図６】電子機器の正面図
【図７】従来のリモコン送信機の断面図
【図８】同分解斜視図
【発明を実施するための形態】
【００２７】
以下、本発明の実施の形態について、図１〜図６を用いて説明する。
【００２８】
なお、これらの図面は構成を判り易くするために、部分的に寸法を拡大して表している。
【００２９】
（実施の形態１）
実施の形態１を用いて、本発明の特に請求項１記載の発明について説明する。
【００３０】
図１は本発明の第１の実施の形態によるリモコン送信機の断面図、図２は同分解斜視図であり、同図において、２１はポリスチレンやＡＢＳ等の絶縁樹脂製の上ケース、２２は同じくカバーで、上ケース２１上面の複数の開口部２１Ａに、複数のカバー２２が装着されている。
【００３１】
また、２３は静電タッチパネルで、複数の静電タッチパネル２３が複数のカバー２２下面に各々装着されると共に、カバー２２の外方端部には、略円柱状の支点部２２Ａが各々設けられている。
【００３２】
そして、図３はこのような静電タッチパネル２３の部分平面図であり、図３（ａ）において、２３Ａはガラス入りエポキシ等の上基材で、この上面には、上下方向に略方形状に連結された、略帯状で銅箔等の複数の電極２３Ｂが配列されると共に、略方形状に分割された複数の電極２３Ｃが、電極２３Ｂとは直交方向の左右方向に配列されている。
【００３３】
また、図３（ｂ）において、２３Ｄは上基材２３Ａに積層された中基材で、この上面には銅箔等の複数の接続パターン２３Ｅが左右方向に配列されると共に、この複数の接続パターン２３Ｅの両端が、貫通孔内に銀等を充填したスルーホール（図示せず）等を介して電極２３Ｃに接続されて、複数の電極２３Ｃが左右方向に略帯状に連結されている。
【００３４】
さらに、図３（ｃ）において、２３Ｆは中基材２３Ｄに積層された下基材で、この下面には一端が下端の引出部２３Ｇに延出する、銅箔等の複数の引出パターン２３Ｈが形成されると共に、この複数の引出パターン２３Ｈの他端がスルーホール等を介して、複数の電極２３Ｂと電極２３Ｃ端部に接続されて、静電タッチパネル２３が形成されている。
【００３５】
また、２４はシリコーンゴムやエラストマー等の操作体で、上面に形成された略額縁状の複数の枠部２４Ａ上に、カバー２２と静電タッチパネル２３が載置されると共に、枠部２４Ａ外方には窪状の保持部２４Ｂが設けられ、この保持部２４Ｂと上ケース２１下面との間に、カバー２２外方端部の支点部２２Ａが回転可能に装着されている。
【００３６】
そして、２５は紙フェノールやガラス入りエポキシ等の配線基板で、上下面には銅箔等によって複数の配線パターン（図示せず）が形成されると共に、上面中間部にはカーボン等の複数の固定接点（図示せず）が設けられ、この上に載置された略ドーム状で銅合金等の可動接点によって、複数のスイッチ接点２６が形成されている。
【００３７】
さらに、この配線基板２５上面を操作体２４が覆うと共に、スイッチ接点２６中央上方の操作体２４上面には、カバー２２の内方端部に形成された押圧部２２Ｂが当接している。
【００３８】
また、２７は弾性接続体で、シリコーンゴム等にカーボン等を分散した導電層と、シリコーンゴム等の絶縁層が所定間隔で横方向に積層されて形成されると共に、この弾性接続体２７が上下方向にやや撓んだ状態で、支点部２２Ａ近傍の配線基板２５と静電タッチパネル２３の間に装着され、導電層の上下端が配線基板２５の配線パターンと、静電タッチパネル２３の引出部２３Ｇに弾接することで、静電タッチパネル２３の複数の電極２３Ｂや２３Ｃが、配線基板２５両端の配線パターンに電気的に接続されている。
【００３９】
そして、配線基板２５の上下面には、アンテナ等のリモコン信号を送信する送信手段２９や、マイコン等の制御手段３０が形成されると共に、この制御手段３０に配線パターンを介して、静電タッチパネル２３やスイッチ接点２６、送信手段２９が接続されている。
【００４０】
さらに、３１はポリスチレンやＡＢＳ等の絶縁樹脂製の下ケース、３２は同じく蓋体で、蓋体３２に覆われた下ケース３１下面には電池（図示せず）が収納されると共に、この下ケース３１が上ケース２１下面を覆って、リモコン送信機３５が構成されている。
【００４１】
以上の構成において、図６の正面図に示すように、遠隔操作するテレビ等の電子機器４０の表示画面４１に複数のメニュー、例えば複数のキー４２が表示された状態で、リモコン送信機３５のカバー２２上面左方の所定箇所に、例えば左手の指を触れると、この指に静電タッチパネル２３の電荷の一部が導電し、操作した箇所の電極の容量が変化するため、これによって静電タッチパネル２３のどの箇所に指が触れたのかを制御手段３０が検出する。
【００４２】
そして、この指の接触位置に応じたリモコン信号を、制御手段３０が送信手段２９から機器へ電波として送信し、これを電子機器４０が受信すると、指の接触位置に対応した、例えば、表示画面４１に表示された「Ａ」のキー４２Ａがカーソル表示される。
【００４３】
また、このままの位置でカバー２２上面を押圧操作すると、外方端部の支点部２２Ａを支点として、カバー２２や静電タッチパネル２３が下方へ揺動し、カバー２２内方端部の押圧部２２Ｂが、操作体２４を介してスイッチ接点２６の可動接点を押圧して、スイッチ接点２６の電気的接離が行われる。
【００４４】
そして、このスイッチ接点２６の電気的接離を制御手段３０が検出して、上記とは異なるリモコン信号が送信され、例えば表示画面４１下方の入力部４１Ａに「Ａ」が表示されて、文字の選択が確定する。
【００４５】
さらに、右手の指でカバー２２上面右方の別の箇所に触れると、同じく制御手段３０が静電タッチパネル２３の容量変化によってその接触位置を検出し、リモコン信号が送信手段２９から送信されて、表示画面４１の「Ｂ」のキー４２Ｂがカーソル表示され、そのままカバー２２上面を押圧操作すると、この下方のスイッチ接点２６の電気的接離が行われリモコン信号が送信されて、入力部４１Ａに「Ａ」に並んで「Ｂ」の文字が表示される。
【００４６】
なお、この時、「Ｂ」ではなく「Ｎ」や「Ｈ」の文字を選びたい場合には、カバー２２上面に触れたまま指を右方や上方へ移動すると、この接触箇所を制御手段３０が検出してリモコン信号が送信されて、表示画面４１の「Ｎ」や「Ｈ」のキーがカーソル表示され、この後、カバー２２上面を押圧操作すると、これらの文字が入力部４１Ａに表示される。
【００４７】
つまり、リモコン送信機３５のカバー２２上面に指を触れ、これを移動して接触操作することによって、表示画面４１に表示された文字等のメニューの選択を行うと共に、カバー２２上面を押圧し、この下方のスイッチ接点２６を押圧操作することによって、文字等のメニューの確定や入力等を、遠隔操作によって行うことができるように構成されている。
【００４８】
そして、このようにカバー２２を押圧操作した際、カバー２２が外方端部の支点部２２Ａを支点として揺動して、スイッチ接点２６の電気的接離が行われるため、図１に示すように、カバー２２中央の矢印Ａの箇所を押圧した場合でも、あるいは端部の矢印Ｂの箇所を押圧した場合でも、確実にスイッチ接点２６の電気的接離が行われるようになっている。
【００４９】
すなわち、静電タッチパネル２３を装着したカバー２２が、外方端部の支点部２２Ａを支点として揺動可能に形成されているため、カバー２２上面のどの箇所を押圧しても、内方端部の押圧部２２Ｂがスイッチ接点２６を常に垂直に押圧して、確実な電気的接離が行えるように構成されている。
【００５０】
したがって、静電タッチパネル２３下方に多くのスイッチ接点２６を設ける必要はなく、カバー２２毎に一つのスイッチ接点２６でリモコン送信機３５を形成できるため、構成も簡易で、安価なものとすることができる。
【００５１】
また、このようにカバー２２を上下動ではなく、支点部２２Ａを支点として揺動可能に形成することで、揺動操作した際に、カバー２２の揺動量が殆どない支点部２２Ａ近傍に弾性接続体２７を装着し、これによって静電タッチパネル２３を配線基板２５の配線パターンに電気的に接続することも可能となる。
【００５２】
つまり、静電タッチパネル２３と配線基板２５を接続するための、複数のフレキ基板やコネクタ等が不要となり、弾性接続体２７だけで静電タッチパネル２３を配線基板２５に接続できるため、さらに簡易な構成で、安価にリモコン送信機を形成することが可能なようになっている。
【００５３】
このように本実施の形態によれば、静電タッチパネル２３が装着されたカバー２２を、端部の支点部２２Ａを支点として揺動可能に形成することによって、カバー２２中央部に加え端部を押圧した場合でも、カバー２２が同様に揺動し、この下方のスイッチ接点２６が垂直に押圧操作されるため、スイッチ接点２６の確実な電気的接離が行えると共に、静電タッチパネル２３下方に配置するスイッチ接点２６が一つですみ、簡易な構成で、安価なリモコン送信機を得ることができるものである。
【００５４】
（実施の形態２）
実施の形態２を用いて、本発明の他の実施の形態について説明する。
【００５５】
なお、実施の形態１の構成と同一構成の部分には同一符号を付して、詳細な説明を省略する。
【００５６】
図４は本発明の第２の実施の形態によるリモコン送信機の断面図、図５は同分解斜視図であり、同図において、５１は絶縁樹脂製の上ケース、５２は同じく上カバー、５３は下カバー、５４は静電タッチパネルで、静電タッチパネル５４が上カバー５２と下カバー５３内に収納装着されている。
【００５７】
そして、この上カバー５２と下カバー５３が、上ケース５１上面の開口部５１Ａに装着されると共に、下カバー５３の中央両側面には略円柱状の支点部５３Ａが設けられている。
【００５８】
なお、略方形状に連結された略帯状の複数の電極２３Ｂと２３Ｃが、直交方向に配列されて静電タッチパネル５４が形成されていることは、図３に示した実施の形態１の場合と同様であるが、本実施の形態においては、複数の引出パターン２３Ｈが延出する引出部２３Ｇは端部ではなく、静電タッチパネル５４下面中央に設けられている。
【００５９】
また、５５は操作体で、上面中央には貫通孔５５Ａが形成されると共に、中央両側面には凸状の保持部５５Ｂが設けられ、この保持部５５Ｂと上ケース５１中央両側面の凹状の支持部５１Ｂとの間に、下カバー５３中央両側面の支点部５３Ａが回転可能に装着されている。
【００６０】
そして、２５は配線基板で、この配線基板２５上面を操作体５５が覆うと共に、配線基板２５上面の両端には複数のスイッチ接点２６が形成され、スイッチ接点２６中央上方の操作体５５上面には、下カバー５３の外方端部に形成された押圧部５３Ｂが当接している。
【００６１】
さらに、２７は弾性接続体で、下カバー５３や操作体５５中央の貫通孔５５Ａを挿通し、上下方向にやや撓んだ状態で配線基板２５と静電タッチパネル５４の間に弾接装着されて、静電タッチパネル５４の複数の電極２３Ｂや２３Ｃが、配線基板２５中央の配線パターンに電気的に接続されている。
【００６２】
なお、配線基板２５の上下面には、アンテナ等のリモコン信号を送信する送信手段２９や、マイコン等の制御手段３０が形成されると共に、この制御手段３０に配線パターンを介して、静電タッチパネル５４やスイッチ接点２６、送信手段２９が接続されていることは実施の形態１の場合と同様である。
【００６３】
また、実施の形態１の場合と同様に、蓋体３２に覆われた下ケース３１下面には電池（図示せず）が収納されると共に、この下ケース３１が上ケース５１下面を覆って、リモコン送信機が構成されている。
【００６４】
以上の構成において、図６の正面図に示すように、遠隔操作するテレビ等の電子機器４０の表示画面４１に複数のメニュー、例えば複数のキー４２が表示された状態で、リモコン送信機の上カバー５２上面右方の所定箇所に指を触れると、この指に静電タッチパネル５４の電荷の一部が導電し、操作した箇所の電極の容量が変化するため、これによって静電タッチパネル５４のどの箇所に指が触れたのかを制御手段３０が検出する。
【００６５】
そして、この指の接触位置に応じたリモコン信号を、制御手段３０が送信手段２９から機器へ電波として送信し、これを電子機器４０が受信すると、例えば、表示画面４１に表示されたキー４２の、選択した文字のキーがカーソル表示される。
【００６６】
また、このままの位置で上カバー５２上面を押圧操作すると、中央の支点部５３Ａを支点として、下カバー５３と上カバー５２、静電タッチパネル５４が右下方へ揺動し、下カバー５３外方端部の押圧部５３Ｂが、操作体５５を介してスイッチ接点２６を押圧して、スイッチ接点２６の電気的接離が行われる。
【００６７】
そして、このスイッチ接点２６の電気的接離を制御手段３０が検出して、上記とは異なるリモコン信号が送信され、例えば表示画面４１下方の入力部４１Ａに選択した文字が表示されて、文字の選択が確定する。
【００６８】
なお、上カバー５２上面左方に指を触れた場合にも、同様に制御手段３０がその接触位置を検出して、リモコン信号が送信手段２９から送信されると共に、そのまま上カバー５２上面左方を押圧操作した場合には、中央の支点部５３Ａを支点として、下カバー５３や静電タッチパネル５４が左下方へ揺動して、下方のスイッチ接点２６の電気的接離が行われ、リモコン信号が送信される。
【００６９】
つまり、リモコン送信機の上カバー５２上面に指を触れ、これを移動して接触操作することによって、表示画面４１に表示された文字等のメニューの選択を行うと共に、本実施の形態においては、一つの上カバー５２上面を押圧し、中央の支点部５３Ａを支点として、下カバー５３や静電タッチパネル５４を左右に揺動して、この下方両端のスイッチ接点２６を押圧操作することによって、文字等のメニューの確定や入力等を、遠隔操作によって行うことができるように構成されている。
【００７０】
そして、このように上カバー５２を押圧操作した際、下カバー５３や静電タッチパネル５４が中央の支点部５３Ａを支点として揺動して、スイッチ接点２６の電気的接離が行われるため、図４に示すように、上カバー５２の中央寄りの矢印Ａの箇所を押圧した場合でも、あるいは端部の矢印Ｂの箇所を押圧した場合でも、確実にスイッチ接点２６の電気的接離が行われるようになっている。
【００７１】
すなわち、静電タッチパネル５４を装着した下カバー５３が、中央の支点部５３Ａを支点として揺動可能に形成されているため、上カバー５２上面のどの箇所を押圧しても、下カバー５３外方端部の押圧部５３Ｂが、スイッチ接点２６を常に垂直に押圧して、確実な電気的接離が行えるように構成されている。
【００７２】
したがって、実施の形態１の場合と同様に、静電タッチパネル５４下方に多くのスイッチ接点２６を設ける必要はなく、配線基板２５上面の両端に設けた二つのスイッチ接点２６でリモコン送信機を形成できるため、構成も簡易で、安価なものとすることができる。
【００７３】
また、このように上カバー５２や下カバー５３を上下動ではなく、中央の支点部５３Ａを支点として揺動可能に形成することで、揺動操作した際に、上カバー５２や下カバー５３の揺動量が殆どない支点部５３Ａ近傍、すなわち配線基板２５中央に弾性接続体２７を装着し、これによって静電タッチパネル５４を配線基板２５の配線パターンに電気的に接続することも可能となる。
【００７４】
つまり、実施の形態１の場合と同様に、静電タッチパネル５４と配線基板２５を接続するための、複数のフレキ基板やコネクタ等が不要となり、弾性接続体２７だけで静電タッチパネル５４を配線基板２５に接続できるため、さらに簡易な構成で、安価にリモコン送信機を形成することが可能なようになっている。
【００７５】
このように本実施の形態によれば、静電タッチパネル５４が装着された上カバー５２や下カバー５３を、中央の支点部５３Ａを支点として揺動可能に形成することによって、上カバー５２の端部を押圧した場合でも、下カバー５３が右または左下方へ揺動し、この下方両端のスイッチ接点２６が垂直に押圧操作されるため、スイッチ接点２６の確実な電気的接離が行えると共に、静電タッチパネル５４下方に配置するスイッチ接点２６が二つですみ、簡易な構成で、安価なリモコン送信機を得ることができるものである。
【００７６】
なお、以上の説明では、配線基板２５上面の固定接点に略ドーム状の可動接点を載置して、スイッチ接点２６を形成した構成について説明したが、固定接点上方に下面に可動接点が形成されたゴム等の押釦を対向させた構成や、あるいは、配線基板２５上面に単品のプッシュスイッチを実装した構成等、様々なスイッチ接点を用いた構成としても、本発明の実施は可能である。
【産業上の利用可能性】
【００７７】
本発明によるリモコン送信機は、簡易な構成で、確実な操作が可能なものが得られ、主に各種電子機器の遠隔操作用として有用である。
【符号の説明】
【００７８】
２１、５１  上ケース
２１Ａ、５１Ａ  開口部
２２  カバー
２２Ａ  支点部
２２Ｂ  押圧部
２３、５４  静電タッチパネル
２３Ａ  上基材
２３Ｂ、２３Ｃ  電極
２３Ｄ  中基材
２３Ｅ  接続パターン
２３Ｆ  下基材
２３Ｇ  引出部
２３Ｈ  引出パターン
２４、５５  操作体
２４Ａ  枠部
２４Ｂ  保持部
２５  配線基板
２６  スイッチ接点
２７  弾性接続体
２９  送信手段
３０  制御手段
３１  下ケース
３２  蓋体
３５  リモコン送信機
４０  電子機器
４１  表示画面
４１Ａ  入力部
４２、４２Ａ、４２Ｂ  キー
５１Ｂ  支持部
５２  上カバー
５３  下カバー
５３Ａ  支点部
５３Ｂ  押圧部
５５Ａ  貫通孔
５５Ｂ  保持部
【図１】
2011160388.tif 000003
【図２】
2011160388.tif 000004
【図３】
2011160388.tif 000005
【図４】
2011160388.tif 000006
【図５】
2011160388.tif 000007
【図６】
2011160388.tif 000008
【図７】
2011160388.tif 000009
【図８】
2011160388.tif 000010